(57)【要約】      （修正有）【課題】ストラップに傷がつくのを防止すると共に、小型のデジタルカメラに対してもストラップの取付部を配置することができ、更に、ストラップが引っ張られた際の荷重によるストラップ取付部材の変形や破損を防止することができる仕組みを提供する。【解決手段】デジタルカメラは、シャーシ２０と、本体部９ａと、本体部９ａに設けられた２つのビス穴を結ぶ方向と直交する方向に延びて形成され、ストラップが取り付けられるストラップ取付部９ｇと、ストラップ取付部９ｇの先端側に形成された押さえ部９ｈと、を有するストラップ取付部材９と、ストラップ取付部材９の押さえ部９ｈを押さえ込む押さえ込み部３４ｄが形成される押さえカバー３４と、を備える。２つのビス穴は、本体部９ａのストラップ取付部９ｇを間に挟んだ両側の位置に形成される。【選択図】図２
2011209559.tif 000002
【特許請求の範囲】
【請求項１】
ベース部材と、
前記ベース部材に対して固定される本体部と、前記本体部の前記ベース部材に対する固定箇所を結ぶ方向と直交する方向に延びて形成され、ストラップが取り付けられるストラップ取付部と、該ストラップ取付部の先端側に形成された押さえ部と、を有するストラップ取付部材と、
該ストラップ取付部材の前記押さえ部を押さえ込む押さえ込み部が形成される押さえカバーと、を備え、
前記固定箇所は、前記ストラップ取付部を間に挟んだ両側の位置に形成される、ことを特徴とする電子機器。
【請求項２】
前記ストラップ取付部には、前記固定箇所を結ぶ方向に前記ストラップを挿通させるためのストラップ通し穴が設けられている、ことを特徴とする請求項１に記載の電子機器。
【請求項３】
前記押さえカバーは、前記ストラップ取付部材と共に前記ベース部材に固定される、ことを特徴とする請求項１又は２に記載の電子機器。
【請求項４】
前記ストラップ取付部材の前記押さえ部の先端側には、前記押さえカバーに嵌合する嵌合部が形成される、ことを特徴とする請求項１乃至３のいずれか一項に記載の電子機器。
【請求項５】
前記ストラップ取付部材の前記本体部の一方側の部分と前記ストラップ取付部とにより囲まれる領域に第一の外部出入力端子が配置され、前記本体部の他方側の部分と前記ストラップ取付部とにより囲まれる領域に第二の外部出入力端子が配置される、ことを特徴とする請求項１乃至４のいずれか一項に記載の電子機器。
【請求項６】
前記ストラップ取付部材は、樹脂材で形成される、ことを特徴とする請求項１乃至５のいずれか一項に記載の電子機器。
【発明の詳細な説明】
【技術分野】
【０００１】
本発明は、ストラップの取付部を有する電子機器に関する。
【背景技術】
【０００２】
従来、デジタルカメラ等のカバー側壁に形成した２つの穴に該側壁の裏面側から挿入される２つの筒状部を有する保護部材と、該保護部材を前記側壁の裏面に押した状態でビスにより該側壁に固定される保持部材とを備えるものが提案されている（特許文献１）。
【０００３】
この提案では、保護部材の２つの筒状部にストラップを通すことで、カバー側壁に形成した２つの穴のエッジでストラップを傷つけてしまうことが防止されるとしている。
【０００４】
また、カバー側壁にストラップ取付部材を配置したデジタルカメラが提案されている（特許文献２）。
【０００５】
この提案では、ストラップ取付部材に開口部が設けられ、該開口部には、ストラップが巻き付けられる棒状部が略中央部を横切るように配置されている。また、ストラップ取付部材の棒状部が開口部を横切る方向の延長線上には、２つのビス穴が棒状部を間に挟むように設けられている。そして、２つのビス穴から挿入したビスを機器内のベース部材に締結することにより、ストラップ取付部材がカバーの側壁に配置される。
【先行技術文献】
【特許文献】
【０００６】
【特許文献１】特開２００６−２２１０３８号公報
【特許文献２】特開２００６−０８４６５３号公報
【発明の概要】
【発明が解決しようとする課題】
【０００７】
しかし、上記特許文献１では、ストラップが引っ張られた際の荷重をカバーの側壁で受けることになるため、カバーの側壁を比較的大きくしなければならず、機器の小型化を図る上で不利である。
【０００８】
一方、上記特許文献２では、ストラップ取付部材を機器内のベース部材にビス止めしているため、ストラップが引っ張られた際の荷重をカバーの側壁で受けなくてすみ、カバーの側壁が小さい小型の機器に対してもストラップの取付部を配置することができる。
【０００９】
しかし、上記特許文献２では、２つのビスを結ぶ線上に沿って棒状部が配置されているため、ストラップが棒状部に巻き付けられた状態で引っ張られた際の荷重を２つのビスで受けた場合に、ストラップ取付部材にねじれ負荷が作用して変形や破損が生じやすい。
【００１０】
そこで、本発明は、ストラップに傷がつくのを防止すると共に、小型の電子機器に対してもストラップの取付部を配置することができ、更に、ストラップが引っ張られた際の荷重によるストラップ取付部材の変形や破損を防止することができる仕組みを提供する。
【課題を解決するための手段】
【００１１】
上記目的を達成するために、本発明の電子機器は、ベース部材と、ベース部材に対して固定される本体部と、本体部のベース部材に対する固定箇所を結ぶ方向と直交する方向に延びて形成され、ストラップが取り付けられるストラップ取付部と、該ストラップ取付部の先端側に形成された押さえ部と、を有するストラップ取付部材と、該ストラップ取付部材の前記押さえ部を押さえ込む押さえ込み部が形成される押さえカバーと、を備え、前記固定箇所は、前記ストラップ取付部を間に挟んだ両側の位置に形成される、ことを特徴とする。
【発明の効果】
【００１２】
本発明によれば、ストラップに傷がつくのを防止することができると共に、小型の電子機器に対してもストラップの取付部を配置することができ、更に、ストラップが引っ張られた際の荷重によるストラップ取付部材の変形や破損を防止することができる。
【図面の簡単な説明】
【００１３】
【図１】本発明の電子機器の実施形態の一例であるデジタルカメラを説明するための図であり、（ａ）は上面側から見た正面側の斜視図、（ｂ）は底面側から見た背面側の斜視図、（ｃ）はジャックカバーを開いた状態を示す部分斜視図である。
【図２】図１に示すデジタルカメラ１の分解斜視図である。
【図３】全体ユニットの分解斜視図である。
【図４】（ａ）はストラップ取付部材を外側から見た斜視図、（ｂ）はストラップ取付部材を裏面側から見た斜視図である。
【図５】ストラップ取付部材を外側から見た平面図である。
【図６】フロントカバーを外側から見た斜視図である。
【図７】図６を裏面側から見た斜視図である。
【図８】（ａ）はジャックカバーを外側から見た斜視図、（ｂ）は（ａ）を裏面側から見た斜視図である。
【図９】ジャックカバーの分解斜視図である。
【図１０】（ａ）はリアカバーを外側から見た斜視図、（ｂ）は（ａ）を裏面側から見た斜視図である。
【図１１】ストラップの一例を示す図である。
【図１２】ストラップの取付部をストラップ取付部材のストラップ取付部に取り付けた状態を示す斜視図である。
【発明を実施するための形態】
【００１４】
以下、本発明の実施形態の一例を図面を参照して説明する。
【００１５】
図１は、本発明の電子機器の実施形態の一例であるデジタルカメラを示す図であり、（ａ）は上面側から見た正面側の斜視図、（ｂ）は底面側から見た背面側の斜視図、（ｃ）はジャックカバーを開いた状態を示す部分斜視図である。
【００１６】
図１（ａ）及び図１（ｂ）に示すように、本実施形態のデジタルカメラ１は、正面側及び背面側にそれぞれフロントカバー２及びリアカバー３が配置され、上面側にトップカバー４が配置され、底面側にボトムカバー５及び電池カバー７が配置されている。また、デジタルカメラ１の正面側から見て左側部には、ジャックカバー８及びストラップ取付部材９が配置され、右側部には、サイドカバー６が配置されている。
【００１７】
ジャックカバー８は、開閉可能とされており、開いた状態では、図１（ｃ）に示すように、ストラップ取付部材９に接して第一端子１０及び第二端子１１が配置されている。第一端子１０は、外部機器とＨＤＭＩ信号を送受信する為の端子であり、本発明の第一の外部出入力端子の一例に相当する。また、第二端子１１は、外部機器とＵＳＢ信号やビデオ信号・音声信号を送受信する為の端子であり、本発明の第二の外部出入力端子の一例に相当する。
【００１８】
図２は、図１に示すデジタルカメラ１の分解斜視図である。図２において、シャーシ２０には、レンズユニット１２、ストロボユニット１３、電池収納部１４、ＬＣＤ１５、ダイヤル１６、メイン基板１７、操作フレキ１８、及び三脚取付部１９が一体に取り付けられる。
【００１９】
三脚取付部１９は、亜鉛ダイキャスト材で形成され、シャーシ２０は、ばね鋼材で形成されて、強度及び伝熱性が高められている。また、メイン基板１７の正面側には、アルミニウム材からなる放熱板２１が配置されている。なお、本実施形態では、上述した各部材１２〜２１が結合されたユニットを全体ユニット２２として説明する。
【００２０】
次に、図３を参照して、全体ユニット２２の組立例について説明する。
【００２１】
まず、シャーシ２０に、電池カバー７を含む電池収納部１４と三脚取付部１９を組み付ける。次に、この状態で、シャーシ２０の正面側に、レンズユニット１２及びストロボユニット１３を組み付け、さらに、メイン基板１７をビス２３，２４を介してシャーシ２０に組み付ける。メイン基板１７には、画像処理や各種制御の為の回路や上述した第一端子１０及び第二端子１１等が実装されている。
【００２２】
次に、背面側からＬＣＤ１５及びダイヤル１６を、上面側から操作フレキ１８をそれぞれシャーシ２０に組み付け、最後に放熱板２１をビス２５を介してメイン基板１７と共に三脚取付部１９に組み付ける。
【００２３】
メイン基板１７は、デジタルカメラ１の作動時には各種回路より発熱を伴うが、この様にメイン基板１７を金属製のシャーシ２０や三脚取付部１９に取り付け、さらにメイン基板１７の全面を放熱板２１で覆うことで、効率よく放熱が行われる。組立後の全体ユニット２２には、各カバー類が取り付けられる。
【００２４】
全体ユニット２２の上面側には、図２に示すように、トップカバー４がビス２６，２７を介して取り付けられる。また、全体ユニット２２の正面側から見て左側の側部には、ストラップ取付部材９が取り付けられる。
【００２５】
ここで、図４及び図５を参照して、ストラップ取付部材９について説明する。図４（ａ）はストラップ取付部材９を外側から見た斜視図、図４（ｂ）はストラップ取付部材９を裏面側から見た斜視図、図５はストラップ取付部材９を外側から見た平面図である。
【００２６】
図４及び図５に示すように、ストラップ取付部材９には、デジタルカメラ１の上下方向に延びる本体部９ａと、本体部９ａの略中央からカメラ１の正面側に延びるストラップ取付部９ｇと、ストラップ取付部９ｇの先端側に配置される押さえ部９ｈとが形成される。
【００２７】
ストラップ取付部９ｇを間に挟んで本体部９ａの上側部及び下側部の両側には、それぞれビス穴９ｃ及びビス穴９ｄが形成されている。ビス穴９ｃおよびビス穴９ｄがストラップ取付部９ｇをシャーシ２０に固定する固定箇所として作用する。また、本体部９ａの裏面側には、位置決めダボ９ｅ，９ｆが設けられており、位置決めダボ９ｅは、ビス穴９ｃの上側に形成され、位置決めダボ９ｆは、ビス穴９ｄの下側に形成される。
【００２８】
ストラップ取付部９ｇは、固定箇所となるビス穴９ｃとビス穴９ｄとを結ぶ線に対して直交する方向に延びている。ストラップ取付部９ｇには、ビス穴９ｃとビス穴９ｄとを結ぶ方向にストラップ４７（図１１参照）を挿通させるためのストラップ通し穴９ｂが設けられている。
【００２９】
押さえ部９ｈは、支持部９ｋを介して本体部９ａに支持されており、押さえ部９ｈの先端には、ジャックカバーガイド９ｉがサイドカバー６側に延びて形成され、ジャックカバーガイド９ｉには、嵌合穴９ｊが形成されている。
【００３０】
ストラップ取付部材９の位置決めダボ９ｅ，９ｆは、全体ユニット２２の電池収納部１４に設けた位置決め穴１４ａ，１４ｂ（図２及び図３参照）に嵌め込まれ、これにより、全体ユニット２２に対するストラップ取付部材９の位置決めがなされる。
【００３１】
かかる位置決め状態において、ストラップ取付部材９のビス穴９ｃ及びビス穴９ｄは、全体ユニット２２のシャーシ２０に設けたねじ穴２０ａ及びねじ穴２０ｂに対応し、ジャックカバーガイド９ｉの嵌合穴９ｊは、全体ユニット２２の正面側に対向配置される。
【００３２】
また、メイン基板１７に実装された第一端子１０及び第二端子１１は、ストラップ取付部９ｇを挟む様に上下に配置される。そして、この状態で全体ユニット２２の正面側に、フロントカバー２が取り付けられる。ここで、シャーシ２０は、本発明の機器内に配置されるベース部材の一例に相当する。
【００３３】
図６及び図７を参照して、フロントカバー２について説明する。図６はフロントカバー２を外側から見た斜視図、図７は図６を裏面側から見た斜視図である。
【００３４】
フロントカバー２は、ステンレス鋼等の板材で形成された本体２８の裏面側の周囲に、背面側に突出する板金２９〜３３が溶接等により固定されている。板金２９〜３３は、ステンレス鋼等の薄板材で形成されている。本体２８の正面側から見て左側の側部の裏面側には、押さえカバー３４が接着等により取り付けられている。
【００３５】
押さえカバー３４には、ストラップ取付部材９のストラップ取付部９ｇを外部へ露出させるためのＵ字状の切欠き部３４ａが設けられ、また、ストラップ取付部材９のビス穴９ｃ，９ｄに対応する位置にねじ穴３４ｂ，３４ｃが設けられている。なお、押さえカバー３４のねじ穴３４ｂ，３４ｃは、ストラップ取付部材９のビス穴９ｃ，９ｄの外側に配置される。
【００３６】
また、押さえカバー３４の切欠き部３４ａの上側及び下側には、メイン基板１７の第一端子１０及び第二端子１１を外部へ露出させるための第一端子穴３４ｇ及び第二端子穴３４ｈが設けられている。
【００３７】
これにより、ストラップ取付部材９の本体部９ａとストラップ取付部９ｇの接続部を起点として、本体部９ａの起点の上側（一方側）の部分とストラップ取付部９ｇにより囲まれる領域に第一端子１０を配置することができる。
【００３８】
また、ストラップ取付部材９の本体部９ａの起点の下側（他方側）の部分とストラップ取付部９ｇにより囲まれる領域に第二端子１１を配置することができる。この結果、ストラップ取付部９ｇに隣接したスペースに大型の外部出入力端子をよりコンパクトに配置することができる。
【００３９】
押さえカバー３４には、ストラップ取付部材９の押さえ部９ｈを外側から押さえ込む押さ込み部３４ｄ、ストラップ取付部材９の嵌合穴９ｊに嵌合される嵌合ピン３４ｅ、及びジャックカバー８を取り付けるための取付穴３４ｆがそれぞれ設けられている。
【００４０】
図８及び図９を参照して、ジャックカバー８について説明する。図８（ａ）はジャックカバー８を外側から見た斜視図、図８（ｂ）は図８（ａ）を裏面側から見た斜視図、図９はジャックカバー８の分解斜視図である。
【００４１】
ジャックカバー８は、硬質のモールド樹脂で形成されたカバー部８ａと、柔軟性のある樹脂で形成された取付部８ｂとが２色インジェクション成形により一体に形成されている。ジャックカバー８の取付部８ｂを、図２に示すように、押さえカバー３４の取付穴３４ｆに挿入すると、ジャックカバー８の取付部８ｂに設けた取付穴８ｃが押さえカバー３４の嵌合ピン３４ｅに嵌め込まれる。
【００４２】
ジャックカバー８の取付穴８ｃは、長穴状とされているので、嵌合ピン３４ｅに嵌め込まれた状態で移動可能とされ、これにより、取付穴３４ｆに対してジャックカバー８の抜き差しが可能となる。
【００４３】
ジャックカバー８を引き出した状態では、取付部８ｂは柔軟性のある樹脂で形成されているので、ジャックカバー８を開閉操作することができる（図１（ｃ）参照）。この状態においては、押さえカバー３４のねじ穴３４ｂ，３４ｃは、ストラップ取付部材９のビス穴９，９ｄ及びシャーシ２０のねじ穴２０ａ，２０ｂに一致する位置に配置される。
【００４４】
そして、フロントカバー２を全体ユニット２２に取り付けるには、図２を参照して、板金２９，３０をトップカバー４の下側に差込み、板金２９に設けたビス穴２９ａから挿入したビス３５を介してシャーシ２０に固定する。
【００４５】
また、フロントカバー２の他の板金３１，３２に設けた各ビス穴についても全体ユニット２２に設けた不図示の各ねじ穴にそれぞれ一致する位置に配置される。この状態で、リアカバー３を全体ユニット２２の平面側から取り付ける。
【００４６】
図１０を参照して、リアカバー３について説明する。図１０（ａ）はリアカバー３を外側から見た斜視図、図１０（ｂ）は図１０（ａ）を裏面側から見た斜視図である。
【００４７】
リアカバー３は、ステンレス鋼等で形成された本体３６の裏面に、ステンレス鋼等の薄板で形成された板金３７〜４０が溶接等により固定されている。
【００４８】
板金３７は、リアカバー３の側部に上下方向に沿って配置されており、腕部３７ａ，３７ｂがシャーシ２０に設けたねじ穴２０ａ，２０ｂとストラップ取付部材９に設けたビス穴９ｃ，９ｄとの間に差し込まれる。その際、腕部３７ａ，３７ｂに設けたビス穴３７ｃ，３７ｃｂが、シャーシ２０に設けたねじ穴２０ａ，２０ｂ及びストラップ取付部材９に設けたビス穴９ｃ，９ｄと一致するように板金３７を差し込む。
【００４９】
この状態で、図２に示すように、押さえカバー３４のねじ穴３４ｂ，３４ｃにビス４１，４２をねじ込む。
【００５０】
これにより、ビス４１，４２が押さえカバー３４の下側のストラップ取付部材９のビス穴９ｃ，９ｄ及び板金３７のビス穴３７ｃ，３７ｄを貫通して、シャーシ２０のねじ穴２０ａ，２０ｂにねじ込まれて締め付けられる。この結果、リアカバー３、フロントカバー２及びストラップ取付部材９が全体ユニット２２に確実に締結される。
【００５１】
その後、ボトムカバー５及びサイドカバー６についても、それぞれに設けたビス穴にビス４３〜４６を挿入して全体ユニット２２の各ねじ穴（不図示）に締め付けることにより、リアカバー３及びフロントカバー２と共に、全体ユニット２２に確実に締結される。
【００５２】
次に、ストラップ取付部材９へのストラップ４７の取り付け例について説明する。
【００５３】
図１１は、ストラップ４７の一例を示す図である。ストラップ４７は、ループ状の紐で形成された腕通し部４７ａと、腕通し部４７ａより細い紐でループ状に形成された取付部４７ｂとがモールド樹脂等で形成されたジョイント部４７ｃで結合されている。
【００５４】
そして、ストラップ４７の取付部４７ｂをストラップ取付部材９のストラップ通し穴９ｂ（図４参照）に挿入して、ストラップ取付部９ｇに巻き付けて取り付ける。
【００５５】
このように、ストラップ４７の取付部４７ｂをストラップ取付部材９のストラップ取付部９ｇに巻き付けて取り付けることにより、ストラップ４７に傷がつくのを防止することができる。
【００５６】
図１２は、ストラップ４７の取付部４７ｂをストラップ取付部材９のストラップ取付部９ｇに取り付けた状態を示す斜視図であり、（ａ）はジャックカバー８を閉じた状態、（ｂ）はジャックカバー８を開いた状態を示す。
【００５７】
ユーザは、ストラップ４７の取付部４７ｂをストラップ取付部材９のストラップ取付部９ｇに取り付けた状態で、腕通し部４７ａに腕や手を通して携帯したり撮影したりするが、その際、ストラップ取付部９ｇには引っ張り力が作用する。
【００５８】
ここで、ストラップ取付部材９は、ストラップ取付部９ｇを間に挟んで本体部９ａの上側部及び下側部でビス４１，４２によりシャーシ２０に固定され、ストラップ取付部９ｇの先端側の押さえ部９ｈが押さえカバー３４の押さえ込み部３４ｄで押さえられる。
【００５９】
従って、ビス４１，４２及び押さえ込み部３４ｄの３点で囲まれる領域にストラップ取付部９ｇが配置され、前記引っ張り力はビス４１，４２及び押さえ込み部３４ｄにより受け止められる。また、ストラップ取付部９ｇは、ビス４１と４２とを結ぶ線に対して直交する方向に延び、ストラップ通し穴９ｂがビス４１とビス４２とを結ぶ方向に貫通して設けられているので、前記引っ張り力が作用した際にストラップ取付部材９にねじれ負荷が作用しにくい。これにより、前記引張り力によるストラップ取付部９ｇの浮き上がりを回避することができ、ストラップ取付部材９の変形や破損を防止することができる。
【００６０】
また、ストラップ取付部材９は、金属材料等を用いて補強する必要もなく、安価で軽量なモールド樹脂材等で形成することができるので、金属化によるコストアップや、伝熱の問題も回避することができる。
【００６１】
更に、ストラップ取付部材９は、ビス４１，４２によりシャーシ２０に固定されているので、前記引っ張り力をカバーで受け止めなくてすみ、側壁の小さい小型のデジタルカメラに対してもストラップ４７の取付部９ｇを配置することができる。
【００６２】
更に、ストラップ取付部材９の押さえ部９ｈの先端に設けたジャックカバーガイド９ｉの嵌合穴９ｊが押さえカバー３４の嵌合ピン３４ｅに嵌合されて保持される。従って、ストラップ取付部９ｇの浮き上がりをより確実に防止することができ、ストラップ取付部材９の変形や破損をより確実に防止することができる。
【００６３】
更に、押さえカバー３４のねじ穴３４ｂ，３４ｃにねじ込んだビス４１，４２が押さえカバー３４の下側のストラップ取付部材９のビス穴９ｃ，９ｄ及び板金３７のビス穴３７ｃ，３７ｄを貫通してシャーシ２０のねじ穴２０ａ，２０ｂに締め付けられる。
【００６４】
従って、押さえカバー３４の押さえ込み部３４ｄがストラップ取付部材９の押さえ部９ｈから浮き上がる方向に力を受けても、押さえカバー３４が浮き上がることがなく、より確実にストラップ取付部材９の変形や破損を防止することができる。
【００６５】
なお、本発明の構成は、上記実施形態に例示したものに限定されるものではなく、材質、形状、寸法、形態、数、配置箇所等は、本発明の要旨を逸脱しない範囲において適宜変更可能である。
【００６６】
例えば、上記実施形態では、押さえカバー３４をフロントカバー２の裏面側に設けた場合を例示したが、押さえカバー３４をリアカバー３の裏面側に設けてもよい。
【００６７】
また、上記実施形態では、ストラップ取付部材９に設けた嵌合穴９ｉを押さえカバー３４の嵌合ピン３４ｅに嵌合させて嵌合部を構成した場合を例示したが、ストラップ取付部材９に嵌合ピンを設けて、押さえカバー３４の嵌合穴に嵌合させるようにしてもよい。
【符号の説明】
【００６８】
９          ストラップ取付部材
９ｃ，９ｄ  ビス穴
９ｇ        ストラップ取付部
９ｈ        押さえ部
１０        第一端子
１１        第二端子
２０        シャーシ
３４        押さえカバー
３４ｄ      押さえ込み部
４７        ストラップ
【図１】
2011209559.tif 000003
【図２】
2011209559.tif 000004
【図３】
2011209559.tif 000005
【図４】
2011209559.tif 000006
【図５】
2011209559.tif 000007
【図６】
2011209559.tif 000008
【図７】
2011209559.tif 000009
【図８】
2011209559.tif 000010
【図９】
2011209559.tif 000011
【図１０】
2011209559.tif 000012
【図１１】
2011209559.tif 000013
【図１２】
2011209559.tif 000014